(57)【特許請求の範囲】
【請求項１】
建物の外壁上部の防水構造であって、
前記建物の屋根の端部に沿って延び、奥行方向に厚みを有する板状部材と、
前記板状部材よりも屋内側において、その上部と前記板状部材との間に隙間を有して配置される外壁面材と、
前記外壁面材の上端面に沿って前記板状部材の裏面にまで延びる上側遮蔽部を含み、前記隙間の上方を塞ぐ第１の水切部材と、
前記板状部材の下端面に沿って前記外壁面材の表面にまで延びる下側遮蔽部を含み、前記隙間の下方を塞ぐ第２の水切部材とを備える、外壁上部の防水構造。
【請求項２】
前記第１の水切部材は、前記上側遮蔽部の屋外側端部において上下方向に延び、前記板状部材の裏面に当接する上側当接部をさらに含む、請求項１に記載の外壁上部の防水構造。
【請求項３】
前記第１の水切部材の前記上側当接部は、板バネとして形成されており、
前記上側当接部は、弾性を有する乾式シール材を介して、前記板状部材の裏面に当接する、請求項２に記載の外壁上部の防水構造。
【請求項４】
前記第１の水切部材の前記上側遮蔽部は、少なくとも、前記外壁面材の屋外側上端部に当接する上端当接部を有する、請求項１〜３のいずれかに記載の外壁上部の防水構造。
【請求項５】
前記第２の水切部材は、前記下側遮蔽部の屋内側端部において上下方向に延び、前記外壁面材の表面に当接する下側当接部をさらに含む、請求項１〜４のいずれかに記載の外壁上部の防水構造。
【請求項６】
前記第２の水切部材は、略Ｕ字状断面を有しており、
前記下側遮蔽部は、前記板状部材の下端面に固定され、前記下側当接部の上端部に連結される第１遮蔽部と、前記第１遮蔽部よりも下方に位置し、前記下側当接部の下端部に連結される第２遮蔽部とを有している、請求項５に記載の外壁上部の防水構造。
【請求項７】
前記板状部材の表面と、前記第２の水切部材の屋外側端部とを覆う化粧カバー材をさらに備える、請求項１〜６のいずれかに記載の外壁上部の防水構造。
【請求項８】
前記外壁面材の屋内側には、上下方向に貫通する通気層が形成されており、
前記通気層に嵌入され、外壁上部に前記第１の水切部材を固定するための固定部材をさらに備える、請求項１〜７のいずれかに記載の外壁上部の防水構造。
【請求項９】
建物の屋根の端部に沿って延び、奥行方向に厚みを有する板状部材と、外壁面材の上部との間に隙間を有する建物に用いられる防水ユニットであって、
前記外壁面材の上端面に沿って前記板状部材の裏面にまで延びる上側遮蔽部を含み、前記隙間の上方を塞ぐ第１の水切部材と、
前記板状部材の下端面に沿って前記外壁面材の表面にまで延びる下側遮蔽部を含み、前記隙間の下方を塞ぐ第２の水切部材とを備える、防水ユニット。
【発明の詳細な説明】
【技術分野】
【０００１】
本発明は、外壁上部の防水構造、および、防水ユニットに関し、特に、屋根の端部に沿って延びる板状部材（たとえば鼻隠し部材）と外壁面材の上部との間に隙間を有する建物における外壁上部の防水構造、および、このような建物に用いられる防水ユニットに関する。
【背景技術】
【０００２】
住宅等の建物において、小屋裏空間の換気を行うために、軒先や軒元から外気が取り込まれる。軒先から外気を取り込む場合、特開２００１−３４９０２３号公報（特許文献１）に示されるように、軒天ボードなどの軒先部材と外壁との取合い部（すなわち軒元）には、コーキングが施されている。
【０００３】
一方で、軒元から外気を取り込む場合は、軒先部材と外壁との取合い部には、通気孔を有する見切り材などが設けられる。たとえば特開２００９−１０２８０６号公報（特許文献２）では、軒天ボードを有さない建物において、外壁と鼻隠し化粧板との間の軒天井空間を塞ぐように、換気孔を有する断面溝型の見切り縁パネルが配置されている。この見切り縁パネルは、外壁の上端面と、鼻隠し化粧板の裏面との双方に当接している。
【０００４】
また、軒元の通気口より軒裏空間に浸入する雨水が、小屋裏空間にまで浸入しないように、水返し材が設けられることもある。たとえば特開２００８−１５６８９７号公報（特許文献３）では、水返し材が、外壁面材よりも屋外側に突出するように、外壁上部に配置されている。この水返し材は、隣接する胴縁間に嵌入される水返し固定クリップによって挟持されることで、外壁上部にボルトレスで固定されている。
【先行技術文献】
【特許文献】
【０００５】
【特許文献１】特開２００１−３４９０２３号公報
【特許文献２】特開２００９−１０２８０６号公報
【特許文献３】特開２００８−１５６８９７号公報
【発明の概要】
【発明が解決しようとする課題】
【０００６】
軒の出が少ない建物では、軒先に軒天ボードを有さず、外壁の屋外側には鼻隠し部材が隣接して配置される。鼻隠し部材と外壁との取合い部に通気が不要である場合、鼻隠し部材と外壁との取合い部には、上述のように単にコーキング施工されることが一般的である。ケラバ部における破風板と外壁との取合い部も、通気が不要であるため同様である。
【０００７】
しかし、外壁面材の厚みの変更等により、鼻隠し部材や破風板といった板状部材と外壁面材との間に、隙間が生じることがある。このような場合、小屋裏空間への雨水の浸入を防止するためには、コーキングだけで対処することができない。また、このような隙間があると、美観を損ねてしまう。
【０００８】
本発明は、上記のような課題を解決するためになされたものであって、その目的は、屋根の端部に沿って延びる板状部材と外壁面材との間に隙間を有する場合でも、小屋裏空間への雨水の浸入を防止するとともに、美観を維持することも可能な外壁上部の防水構造、および、防水ユニットを提供することである。
【課題を解決するための手段】
【０００９】
この発明のある局面に従う外壁上部の防水構造は、建物の外壁上部の防水構造であって、板状部材と、外壁面材と、第１の水切部材と、第２の水切部材とを備える。板状部材は、建物の屋根の端部に沿って延び、奥行方向に厚みを有する。外壁面材は、板状部材よりも屋内側において、その上部と板状部材との間に隙間を有して配置される。第１の水切部材は、外壁面材の上端面に沿って板状部材の裏面にまで延びる上側遮蔽部を含み、隙間の上方を塞ぐ。第２の水切部材は、板状部材の下端面に沿って外壁面材の表面にまで延びる下側遮蔽部を含み、隙間の下方を塞ぐ。
【００１０】
好ましくは、第１の水切部材は、上側遮蔽部の屋外側端部において上下方向に延び、前記板状部材の裏面に当接する上側当接部をさらに含む。
【００１１】
第１の水切部材の上側当接部は、板バネとして形成されていてもよい。この場合、上側当接部は、弾性を有する乾式シール材を介して、板状部材の裏面に当接することが望ましい。
【００１２】
第１の水切部材の上側遮蔽部は、少なくとも、外壁面材の屋外側上端部に当接する上端当接部を有することが望ましい。
【００１３】
好ましくは、第２の水切部材は、下側遮蔽部の屋内側端部において上下方向に延び、外壁面材の表面に当接する下側当接部をさらに含む。
【００１４】
第２の水切部材は、略Ｕ字状断面を有していることが望ましい。この場合、下側遮蔽部は、板状部材の下端面に固定され、下側当接部の上端部に連結される第１遮蔽部と、第１遮蔽部よりも下方に位置し、下側当接部の下端部に連結される第２遮蔽部とを有している。
【００１５】
好ましくは、板状部材の表面と、第２の水切部材の屋外側端部とを覆う化粧カバー材をさらに備える。
【００１６】
外壁面材の屋外側には、上下方向に貫通する通気層が形成されていてもよい。この場合、外壁上部の防水構造は、通気層に嵌入され、外壁上部に第１の水切部材を固定するための固定部材をさらに備えることが望ましい。
【００１７】
この発明の他の局面に従う防水ユニットは、建物の屋根の端部に沿って延び、奥行方向に厚みを有する板状部材と、外壁面材の上部との間に隙間を有する建物に用いられる防水ユニットであって、隙間の上方を塞ぐ第１の水切部材と、隙間の下方を塞ぐ第２の水切部材とを備える。第１の水切部材は、外壁面材の上端面に沿って板状部材の裏面にまで延びる上側遮蔽部を含む。第２の水切部材は、板状部材の下端面に沿って外壁面材の表面にまで延びる下側遮蔽部を含む。
【発明の効果】
【００１８】
本発明によれば、屋根の端部に沿って延びる板状部材と外壁面材との間に隙間を有する場合でも、小屋裏空間への雨水の浸入を防止するとともに、美観を維持することができる。
【図面の簡単な説明】
【００１９】
【図１】本発明の実施の形態に係る外壁上部の防水構造を示す断面図である。
【図２】本発明の実施の形態に係る外壁上部の防水構造の要部を拡大して示した断面図である。
【図３】本発明の実施の形態に係る第１の水切部材を示す斜視図である。
【図４】本発明の実施の形態に係る第１の水切部材の形状例を示す断面図である。
【図５】本発明の実施の形態に係る固定部材を示す斜視図である。
【図６】本発明の実施の形態に係る第１の水切部材と固定部材との組み立て手順を示す図である。
【図７】本発明の実施の形態に係る第１の水切部材の設置手順を示す斜視図である。
【図８】第１の水切部材の他の形状例を示す断面図である。
【図９】第１の水切部材のさらに他の形状例を示す断面図である。
【図１０】第２の水切部材の他の形状例を示す断面図である。
【図１１】第２の水切部材のさらに他の形状例を示す断面図である。
【発明を実施するための形態】
【００２０】
本発明の実施の形態について図面を参照しながら詳細に説明する。なお、図中同一または相当部分には同一符号を付してその説明は繰返さない。
【００２１】
本実施の形態では、軒の出の少ない建物の軒部における外壁上部の防水構造について説明する。
【００２２】
（外壁上部の防水構造）
図１および図２を参照して、本実施の形態に係る外壁上部の防水構造について説明する。なお、図１には、建物の屋外側が矢印Ａ１方向で示されており、この矢印Ａ１方向およびその反対方向で規定される方向を「奥行き方向」という。また、水平面上において奥行き方向に直交する方向を「桁方向」という。桁方向は、外壁部１０の横幅方向に等しい。
【００２３】
建物の軒部における外壁上部の防水構造は、外壁部１０と、屋根２１と、垂木２２と、鼻隠し部材２３と、鼻隠しカバー材２４と、第１の水切部材３と、第２の水切部材５と、固定部材４とを備えている。
【００２４】
外壁部１０は、外壁面材１１と、断熱材１３と、外壁フレーム１４とを含んでいる。外壁面材１１は、最も屋外側に位置し、その表面１１ａは露出している。外壁面材１１の裏面１１ｂと断熱材１３との間には、上下方向に延びる複数の胴縁１６（図７）が配置されている。複数の胴縁１６間には、胴縁１６の厚み分の通気層１２が形成されている。なお、本実施の形態では、通気層１２の屋内側に位置する面材（内側面材）が断熱材１３であることとしたが、これに限定されない。
【００２５】
屋根２１は、野地板２１１と屋根仕上げ材２１２とを含む。野地板２１１は、屋根下地材であって、複数の垂木２２によって下方から支持されている。複数の垂木２２は、桁方向において互いに離れて配置されている。
【００２６】
鼻隠し部材２３は、屋根２１の端部に沿って桁方向に延び、奥行き方向に厚みを有する板状部材である。鼻隠し部材２３は、少なくとも、鼻隠し下地２３１を含む。鼻隠し部材２３は、鼻隠し下地２３１の屋外面（屋外側の面）に固定される不燃材２３２をさらに含んでいてもよい。鼻隠し部材２３（鼻隠し下地２３１）は、複数の垂木２２の軒先側端面２２ａの下方側に当接した状態で桁方向に延びている。本実施の形態では、鼻隠し部材２３の上端面２３ｃと屋根２１の下面との間（つまり、軒先側）に、小屋裏換気のための換気口２０が形成されている。
【００２７】
鼻隠しカバー材２４は、たとえば鋼材によって形成されており、少なくとも鼻隠し部材２３の表面２３ａを覆う化粧カバー材である。本実施の形態では、鼻隠しカバー材２４は、鼻隠し部材２３の表面２３ａに沿って配置される垂直面部２４１と、垂直面部２４１の下端から屋内側へ延び、鼻隠し部材２３の下端面２３ｄよりも下方に位置する下縁部２４２と、下縁部２４２の屋内側端部から上方へ立ち上がる立上り部２４３とを含む。立上り部２４３は、奥行き方向において、鼻隠し部材２３の裏面２３ｂの位置に配置される。鼻隠しカバー材２４は、換気部材２５が取付けられる傾斜部２４２をさらに含んでもよい。傾斜部２４２は、垂直面部２４１の上端部から屋外側へ斜め下方に延びている。
【００２８】
図１および図２に示されるように、本実施の形態では、鼻隠し部材２３と外壁面材１１（外壁部１０）の上部との間に、隙間７０が形成されている。隙間７０の奥行き寸法は、５ｍｍ以上であって、たとえば９ｍｍである。第１の水切部材３および第２の水切部材５は、この隙間７０から小屋裏空間に雨水が浸入することを防止するために配置される。
【００２９】
図２および図３を参照して、第１の水切部材３の構成例について説明する。図３は、第１の水切部材３を示す斜視図である。第１の水切部材３は、隙間７０の上方を塞ぐ。第１の水切部材３は、上側遮蔽部３１と、上側当接部３２と、縁部３３とを含む。上側遮蔽部３１は、外壁面材１１の上端面１１ｃに沿って鼻隠し部材２３の裏面２３ｂにまで延びる。上側当接部３２は、上側遮蔽部３１の屋外側端部に連結され、上下方向に延びている。
【００３０】
上側遮蔽部３１は、外壁面材１１の上端面１１ｃを覆うように配置されていることが望ましく、本実施の形態では、上端面１１ｃの奥行き方向一端から他端まで全体を覆っている。なお、外壁面材１１が、上下方向に貫通する複数の空洞１５を有する場合における、上側遮蔽部３１の好ましい形状例については後述する。
【００３１】
上側当接部３２の屋外面（屋外側の面）は、鼻隠し部材２３の裏面２３ｂと面接触する。上側当接部３２は、図２に示されるように、弾性を有する乾式シール材３４を介して鼻隠し部材２３の裏面２３ｂに当接してもよい。この場合、上側当接部３２は板バネとして形成されていてもよい。乾式シール材３４は、予め、上側当接部３２の屋外面に固定されていることが望ましい。
【００３２】
縁部３３は、上側遮蔽部３１の屋内側端部より上方へ立ち上がる。後述するように、縁部３３は、固定部材４による第１の水切部材３の固定に利用される。
【００３３】
第１の水切部材３の上側遮蔽部３１（本体）、上側当接部３２および縁部３３は、たとえば１枚の鋼板が折り曲げ加工されることによって形成されている。また、第１の水切部材３がピース状に形成されている場合には、外壁面材１１の上端面１１ｃの長手方向（桁方向）に沿って、複数ピースの第１の水切部材３が隙間なく配置される。
【００３４】
図２を参照して、第２の水切部材５の構成例について説明する。第２の水切部材５は、隙間７０の下方を塞ぐ。第２の水切部材５は、下側遮蔽部５１と、下側当接部５２とを含む。下側遮蔽部５１は、鼻隠し部材２３の下端面２３ｄに沿って外壁面材１１の表面１１ａにまで延びる。下側当接部５２は、下側遮蔽部５１の屋内側端部に連結され、上下方向に延びている。下側当接部５２の屋内面（屋内側の面）は、外壁面材１１の表面１１ａと面接触する。
【００３５】
本実施の形態では、第２の水切部材５は、略Ｕ字状断面を有している。そのため、下側遮蔽部５１は、鼻隠し部材２３の下端面２３ｄに沿って外壁面材１１にまで延びる第１および第２遮蔽部５１１，５１２を有している。第１遮蔽部５１１は、鼻隠し部材２３の下端面２３ｄに当接し、下側当接部５２の上端部に連結される。第２遮蔽部５１２は、第１遮蔽部５１１よりも下方に位置し、下側当接部５２の下端部に連結される。なお、第１遮蔽部５１１と第２遮蔽部５１２とは、平行でなくてもよい。
【００３６】
本実施の形態では、ビスなどの接合具８０が、第１遮蔽部５１１を貫通することによって、第２の水切部材５が鼻隠し部材２３の下方に固定されている。この場合、接合具８０の打ち込みを容易にするために、第２遮蔽部５１２の奥行き方向長さは、第１遮蔽部５１１よりも短くてもよい。
【００３７】
第２の水切部材５の屋外側端部は、上述の鼻隠しカバー材２４によって覆われている。この場合、第２遮蔽部５１２は、鼻隠しカバー材２４の立上り部２４３の上端部に接していることが望ましい。
【００３８】
第２の水切部材５の下側遮蔽部５１および下側当接部５２もまた、たとえば１枚の鋼板が折り曲げ加工されることによって形成されている。また、第２の水切部材５がピース状に形成されている場合には、鼻隠し部材２３の下端面２３ｄの長手方向（桁方向）に沿って、複数ピースの第２の水切部材５が隙間なく配置される。
【００３９】
固定部材４は、外壁部１０の通気層１２に嵌入され、外壁上部に第１の水切部材３を固定する。固定部材４を用いた第１の水切部材３の固定構造については、後に詳述する。
【００４０】
ここで、外壁面材１１が複数の空洞１５を有する場合における、第１の水切部材３の上側遮蔽部３１の好ましい形状例について、図４をさらに参照して説明する。図４は、第１の水切部材３の形状例を示す断面図である。なお、図４には、外壁面材１１が想像線で示されている。
【００４１】
外壁面材１１の厚みが大きい場合（たとえば２５ｍｍ以上）、その製造過程において、上下方向に貫通する複数の空洞（中空層）１５が生じる。この場合、外壁面材１１の上端面１１ｃには、図７に示されるように、空洞１５の開口（以下「小口」という）１５ａが、奥行き方向略中央位置に、一列に並ぶように形成される。このような外壁面材１１の場合、その上端面１１ｃに水が掛かると、小口１５ａから空洞１５内に水が浸入してしまう。そうすると、外壁面材１１の凍結や劣化につながる。また、外壁面材１１の上端面１１ｃ全体に完全に蓋をするように（第１の）水切部材を載置すると、空洞１５内の湿気を小口１５ａから外部に逃がすことができない。
【００４２】
そこで、本実施の形態の第１の水切部材３の上側遮蔽部３１は、図４に示されるように、上端当接部３１１と、上端非当接部３１２とを有している。上端当接部３１１は、外壁面材１１の屋外側上端部に当接する。上端非当接部３１２は、上端当接部３１１よりも屋内側において、外壁面材１１の上端面１１ｃから浮いた状態で配置される。
【００４３】
具体的には、上側遮蔽部３１のうち、外壁面材１１の上端面１１ｃに対面する部分（以下「対面部」という）３１０の略中央位置よりも屋外側にのみ、その裏面に乾式シール材３５が貼り付けられている。この場合、対面部３１０に貼り付けられた乾式シール材３５が上端当接部３１１を構成し、対面部３１０のうち乾式シール材３５の無い部分が上端非当接部３１２を構成する。なお、乾式シール材３５は、圧縮可能な弾性体からなり、その材質は、たとえば発泡体ゴムである。乾式シール材３５としては、たとえば、日東電工株式会社製のエプトシーラー（登録商標）が用いられてもよい。上述の乾式シール材３４も、この乾式シール材３５と同じ材質であってもよい。
【００４４】
このように、上側遮蔽部３１の下面の一部に、乾式シール材３５が設けられることで、上側遮蔽部３１は、外壁面材１１の厚みの範囲内に段差を有するように形成される。この段差の境界は、外壁面材１１の上端面１１ｃに現れる小口１５ａの列上に位置することが望ましい。つまり、上側遮蔽部３１は、空洞１５の小口１５ａの全てを乾式シール材３５によって塞がないようにしている。したがって、空洞１５内の湿気を適切に外部に逃がすことができる。
【００４５】
なお、段差の境界位置は、外壁面材１１の上端面１１ｃと第１の水切部材３の上側遮蔽部３１との間の空間６０と、空洞１５の少なくとも一部とが、連通状態となるように選ばれていればよい。たとえば、乾式シール材３５が、空洞１５の小口１５ａ上に全く被らないようにしてもよい。
【００４６】
なお、本実施の形態では、上側遮蔽部３１のうちの対面部３１０以外の部分、すなわち隙間７０に面する部分の下面にも、乾式シール材３５が設けられているが、当該部分には、乾式シール材３５は設けられていなくてもよい。
【００４７】
上述のように、第１の水切部材３の上側遮蔽部３１は、屋内側から鼻隠し部材２３の裏面２３ｂに当接するように屋外側へ向けて延び、第２の水切部材５の下側遮蔽部５１は、屋外側から外壁面材１１の表面１１ａに当接するように屋内側へ向けて延びている。そのため、第１の水切部材３および第２の水切部材５を含む１組の防水ユニットによって、鼻隠し部材２３と外壁面材１１との間の隙間７０の上側および下側が、それぞれ異なる方向から塞がれる。したがって、仮に、第２の水切部材５と外壁面材１１の表面１１ａとの間から、隙間７０内に雨水が浸入したとしても、雨水は第１の水切部材３の上側遮蔽部３１に当たるため、小屋裏空間への雨水の浸入を防止することができる。また、隙間７０の下側に第２の水切部材５が配置されるため、建物の美観を維持または向上することができる。
【００４８】
また、本実施の形態では、第１の水切部材３の上側遮蔽部３１のうち、対面部３１０に設けられた乾式シール材３５が、外壁面材１１の上端面１１ｃの屋外側端部に当接している。したがって、隙間７０内に浸入した雨水が、外壁面材１１の上端面１１ｃに掛かることを防止することができる。
【００４９】
さらに、外壁面材１１が、いわゆる厚物外壁である場合、その上端面１１ｃの小口１５ａは、少なくとも一部が開放されている（空間６０と連通している）。そのため、第１の水切部材３を外壁面材１１の上端面１１ｃを覆うように配置しても、外壁面材１１の上端面１１ｃの小口１５ａからの湿気の排出機能を確保することができる。その結果、外壁面材１１を含む外壁部１０の凍結や劣化を防ぐことができる。
【００５０】
なお、空洞１５がない一般的な厚みの外壁に対しても、上記形状の第１の水切部材３を適用してもよい。このような一般的な厚みの外壁であっても、その上部に、奥行き方向に段差を有する第１の水切部材３を設けることで、上端面１１ｃの気泡等から雨水が吸水されてしまうことを防止することができる。
【００５１】
また、万が一、第１の水切部材３の上側当接部３２と鼻隠し部材２３の裏面２３ｂとに挟まれた乾式シール材３４の劣化等により、第１の水切部材３上にまで雨水が浸入した場合でも、雨水を縁部３３にて返すこともできる。そのため、第１の水切部材３の屋内側端部から、空間６０を通じて、外壁面材１１の上端面１１ｃ上に浸入水が滴り落ちてしまうことを防ぐこともできる。
【００５２】
（第１の水切部材の固定構造）
次に、固定部材４を用いた第１の水切部材３の固定構造について説明する。まず、図２および図５を参照して、固定部材４の構造例について説明する。図５は、固定部材４を示す斜視図である。
【００５３】
固定部材４は、嵌入部４１と、押さえ部４２と、係止部４３とを含む。嵌入部４１は、通気層１２に嵌入される。嵌入部４１は、外壁面材１１の裏面１１ｂに当接される当接部４１１と、当接部４１１の下端に連結された下端連結部４１２と、下端連結部４１２の屋内側端部より斜め上方へ延びる板バネ部４１３とを有している。当接部４１１には、嵌入後の抜け防止のための爪４１４が設けられている。板バネ部４１３は、当接部４１１から離れる方向に付勢されている。固定部材４は、板バネ部４１３の上端部から屋外側へ延びる上蓋部４４をさらに有している。
【００５４】
押さえ部４２は、第１の水切部材３の上側遮蔽部３１の上部を上方から押さえることで、第１の水切部材３を、外壁面材１１の上端面１１ｃに固定する。係止部４３は、嵌入部４１の当接部４１１の上端部と押さえ部４２の屋内側端部との間に設けられており、第１の水切部材３の縁部３３を係止または保持する。係止部４３は、たとえば逆Ｖ字形状の溝を有している。
【００５５】
固定部材４を用いた第１の水切部材３の設置方法について、図６および図７を用いて具体的に説明する。図６は、本発明の実施の形態に係る第１の水切部材３と固定部材４との組み立て手順を示す図である。図７は、本発明の実施の形態に係る第１の水切部材３の設置手順を示す斜視図である。
【００５６】
まず、図６（Ａ），（Ｂ），（Ｃ）を参照して、固定部材４の係止部４３の溝内に、第１の水切部材３の縁部３３が嵌め込まれる。これにより、第１の水切部材３は固定部材４により係止または保持される。図７に示されるように、１つの第１の水切部材３に対し、複数の固定部材４が取り付けられる。その状態で、固定部材４の嵌入部４１を、通気層１２に嵌入する。具体的には、通気層１２において間隔を置いて配置されている胴縁１６間に固定部材４が圧入される。これにより、嵌入部４１の当接部４１１は、外壁面材１１の裏面１１ｂに圧接され、板バネ部４１３が断熱材１３に圧接される。固定部材４は、第１の水切部材３の底面（すなわち、乾式シール材３５の下面）が、外壁面材１１の上端面１１ｃに当接されるまで、圧入される。固定部材４が十分に押し込まれた場合、押さえ部４２によって第１の水切部材３は上方より押さえ付けられる。これにより、第１の水切部材３の下方の乾式シール材３５は下方向に圧縮されるため、乾式シール材３５と外壁面材１１の上端面１１ｃとの間は隙間なく止水される。
【００５７】
また、固定部材４が十分に押し込まれると、板バネ部４１３の復元力により、通気層１２に確実に固定される。また、当接部４１１には、外壁面材１１側に向かって斜め上方へ突出する爪４１４が形成されているため、上方への抜け落ちも防止される。図６（Ｃ）には、図２に示されるように、第１の水切部材３が外壁面材１１上端に取付けられた状態の固定部材４の形状が示されている。
【００５８】
上述のように、固定部材４を用いることで、外壁部１０の上部に、ボルトレスで第１の水切部材３を固定することができる。なお、固定部材４も、防水ユニットに含まれてもよい。
【００５９】
（第１の水切部材の変形例）
第１の水切部材３の形状は、上記例に限定されない。たとえば、図８に示すような第１の水切部材３Ａ、または、図９に示すような第１の水切部材３Ｂのような形状であってもよい。
【００６０】
図８に示す第１の水切部材３Ａは、乾式シール材３５を含むことなく、上側遮蔽部３１本体が、段差を形成している。つまり、第１の水切部材３Ａの上端当接部３１１は、上側遮蔽部３１本体の対面部３１０の一部によって形成されている。この場合、上側遮蔽部３１は、上端当接部３１１と上端非当接部３１２とを連結し、上下方向に延びる連結部３１３をさらに含む。
【００６１】
図９に示す第１の水切部材３Ｂは、外壁面材１１の厚みの範囲内に段差を形成していない。第１の水切部材３Ｂの上側遮蔽部３１は、屋外側端部から屋内側端部にまで斜め上方に延びている。この場合、第１の水切部材３Ｂの上端当接部３１１は、外壁面材１１の上端面１１ｃには当接せず、外壁面材１１の屋外側の上端角部またはその近傍に当接している。このように、上端当接部３１１は、外壁面材１１の屋外側上端部にさえ当接していればよい。
【００６２】
この場合、第１の水切部材３Ｂを保持した状態の固定部材４を通気層１２に圧入する際に、上端当接部３１１が浮かないように、上端非当接部３１２に、長手方向に沿ってたとえば複数の脚部（図示せず）等を設けることが望ましい。図８に示した第１の水切部材３Ａ、あるいは、図４に示した第１の水切部材３においても、上端非当接部３１２に、外壁面材１１の上端面１１ｃ上に載置される複数の脚部等を設けてもよい。
【００６３】
なお、外壁面材１１の上端面１１ｃに、小口１５ａや気泡が無いような場合には、上側遮蔽部３１の対面部３１０は、上端非当接部３１２を含まなくてもよい。つまり、対面部３１０全体が、外壁面材１１の上端面１１ｃ全体に当接してもよい。
【００６４】
また、第１の水切部材３（３Ａ，３Ｂ）は、上側当接部３２および縁部３３を含まず、上側遮蔽部３１のみで構成されてもよい。
【００６５】
（第２の水切部材の変形例）
第２の水切部材５の形状は、上記例に限定されない。たとえば、図１０に示すような第２の水切部材５Ａ、または、図１１に示すような第２の水切部材５Ｂのような形状であってもよい。
【００６６】
図１０に示す第２の水切部材５Ａは、略Ｌ字状断面を有している。つまり、第２の水切部材５Ａの下側遮蔽部５１および下側当接部５２は、図２に示した第１の水切部材３の上側遮蔽部３１（本体）および上側当接部３２と同様の形状を有していてもよい。この場合、第２の水切部材５Ａの下側遮蔽部５１は、鼻隠し部材２３の下端面２３ｄに当接した状態で固定されることが望ましい。下側遮蔽部５１は、たとえば、下側当接部５２の下端部に連結される。
【００６７】
この場合、第２の水切部材５Ａの下側当接部５２も、第１の水切部材３の上側当接部３２と同様に、板バネとして形成されて、その屋内面（屋外側の面）に、弾性を有する乾式シール材５３が接着されていてもよい。
【００６８】
図１１に示す第２の水切部材５Ｂは、鼻隠しカバー材２４Ａと一体的に形成されている。鼻隠しカバー材２４Ａは、たとえば、図２に示した下縁部２４２および立上り部２４３を含まず、垂直面部２４１の下端部に、第２の水切部材５Ｂの下側遮蔽部５１の屋外側端部が連結されている。つまり、第２の水切部材５Ｂの下側遮蔽部５１は、鼻隠し部材２３の下端面２３ｄ全体を覆うように配置されている。この場合、下側遮蔽部５１は、鼻隠し部材２３の下端面２３ｄに当接していなくてもよい。
【００６９】
なお、第２の水切部材５Ｂは、ビスなどの接合具８０を用いることなく、鼻隠し部材２３の下方に固定してもよい。鼻隠しカバー材２４Ａは、たとえば、垂直面部２４１にビスなどの接合具を貫通させることによって、鼻隠し部材２３に固定されている。
【００７０】
また、第２の水切部材５（５Ａ，５Ｂ）もまた、下側当接部５２を含まず、下側遮蔽部５１のみで構成されてもよい。
【００７１】
なお、上記実施の形態に係る外壁上部の防水構造は、建物の軒部を例に説明したが、建物のケラバ部においても適用することができる。この場合、「板状部材」は、屋根２１の端部に沿って勾配方向に延びる破風板である。この場合、小屋裏換気のための換気口は、鼻隠し部材または軒天ボードと外壁面材との間、すなわち軒元側に設けられていてもよい。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
３，３Ａ，３Ｂ  第１の水切部材、４  固定部材、５，５Ａ，５Ｂ  第２の水切部材、１０  外壁部、１１  外壁面材、１２  通気層、１３  断熱材、１４  外壁フレーム、１５  空洞、１６  胴縁、２０  換気口、２１  屋根、２２  垂木、２３  鼻隠し部材、２４，２４Ａ  鼻隠しカバー材、２５  換気部材、３１  上側遮蔽部、３２  上側当接部、３３  縁部、３４，３５，５３  乾式シール材、４１  嵌入部、４２  押さえ部、４３  係止部、４４  上蓋部、５１  下側遮蔽部、５２  下側当接部、６０  空間、７０  隙間、８０  接合具、２１１  野地板、２１２  屋根仕上げ材、２３１  鼻隠し下地、２３２  鼻隠し、３１０  対面部、３１１  上端当接部、３１２  上端非当接部、３１３  連結部、４１１  当接部、４１２  下端連結部、４１３  板バネ部、４１４  爪、５１１  第１遮蔽部、５１２  第２遮蔽部。
【図１】
0006022500.tif 000002
【図２】
0006022500.tif 000003
【図３】
0006022500.tif 000004
【図４】
0006022500.tif 000005
【図５】
0006022500.tif 000006
【図６】
0006022500.tif 000007
【図７】
0006022500.tif 000008
【図８】
0006022500.tif 000009
【図９】
0006022500.tif 000010
【図１０】
0006022500.tif 000011
【図１１】
0006022500.tif 000012